(57)【要約】【課題】短時間で効率良く周波数自動登録をするチューナユニットを提供する。【解決手段】本発明に係るチューナユニットは、スキャン候補周波数として登録するスキャン候補登録手段と、スキャン周波数を選択するスキャン周波数選択手段と、スキャン周波数に基づいて行う第１のスキャン手段と、チャネル信号の受信可否を判定する受信判定手段と、受信可能と判定されたチャネル信号の周波数を登録するとともに、検出周波数を中心とした所定範囲のスキャン候補周波数を削除し更新するスキャン候補周波数更新手段と、更新されたスキャン候補周波数に基づいてスキャンする第２のスキャン手段と、を備え、スキャン候補周波数更新手段は、第２のスキャン手段によるスキャンにおいても、受信可能と判定されたチャネル信号の周波数を登録するとともに、検出周波数を中心とした所定範囲のスキャン候補周波数を削除し更新する。【選択図】  図４
2007174573.tif 000002
【特許請求の範囲】
【請求項１】
所定の周波数範囲をスキャンして受信可能なチャネル信号を検出し、前記受信可能なチャネル信号の周波数を登録するチューナユニットにおいて、
前記スキャンする周波数を、所定の最小検出間隔毎にスキャン候補周波数として設定し登録するスキャン候補登録手段と、
前記チャネル信号のバンド幅と略同一の間隔で、前記スキャン候補周波数の中からスキャン周波数を選択するスキャン周波数選択手段と、
前記スキャン周波数に基づいてスキャンする第１のスキャン手段と、
前記スキャン周波数に基づいてスキャンされたチャネル信号が受信可能か否かを判定する受信判定手段と、
前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新手段と、
前記所定の周波数範囲を前記第１のスキャン手段でスキャンした後、前記更新されたスキャン候補周波数に基づいてスキャンする第２のスキャン手段と、
を備え、
前記スキャン候補周波数更新手段は、
前記第２のスキャン手段によるスキャンにおいても、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新することを特徴とするチューナユニット。
【請求項２】
前記第１のスキャン手段によるスキャンにおいて受信した前記チャネル信号の信号強度を前記スキャン候補周波数に関連付けて登録する信号強度登録手段をさらに備え、
前記第２のスキャン手段によるスキャンは、前記信号強度の大きな順にスキャンすることを特徴とする請求項１に記載のチューナユニット。
【請求項３】
前記チャネル信号のバンド幅が複数ある場合には、同一の前記スキャン候補周波数において、前記バンド幅の広い順から受信可能か否かを判定することを特徴とする請求項２に記載のチューナユニット。
【請求項４】
前記第１のスキャン手段は、受信可能なチャネル信号の周波数が既知の場合には、前記既知の周波数も含めてスキャンすることを特徴とする請求項１に記載のチューナユニット。
【請求項５】
各種情報処理を行う情報処理装置本体と、
所定の周波数範囲をスキャンして受信可能なチャネル信号を検出し、前記受信可能なチャネル信号の周波数を登録するチューナユニットと、
各種情報、および前記チューナユニットで受信された映像を表示する表示器と、
を備えた情報処理装置において、
前記チューナユニットは、
前記スキャンする周波数を、所定の最小検出間隔毎にスキャン候補周波数として設定し登録するスキャン候補登録手段と、
前記チャネル信号のバンド幅と略同一の間隔で、前記スキャン候補周波数の中からスキャン周波数を選択するスキャン周波数選択手段と、
前記スキャン周波数に基づいてスキャンする第１のスキャン手段と、
前記スキャン周波数に基づいてスキャンされたチャネル信号が受信可能か否かを判定する受信判定手段と、
前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新手段と、
前記所定の周波数範囲を前記第１のスキャン手段でスキャンした後、前記更新されたスキャン候補周波数に基づいてスキャンする第２のスキャン手段と、
を備え、
前記スキャン候補周波数更新手段は、
前記第２のスキャン手段によるスキャンにおいても、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新することを特徴とする情報処理装置。
【請求項６】
前記第１のスキャン手段によるスキャンにおいて受信した前記チャネル信号の信号強度を前記スキャン候補周波数に関連付けて登録する信号強度登録手段をさらに備え、
前記第２のスキャン手段によるスキャンは、前記信号強度の大きな順にスキャンすることを特徴とする請求項５に記載の情報処理装置。
【請求項７】
前記チャネル信号のバンド幅が複数ある場合には、同一の前記スキャン候補周波数において、前記バンド幅の広い順から受信可能か否かを判定することを特徴とする請求項６に記載の情報処理装置。
【請求項８】
前記第１のスキャン手段は、受信可能なチャネル信号の周波数が既知の場合には、前記既知の周波数も含めてスキャンすることを特徴とする請求項５に記載の情報処理装置。
【請求項９】
所定の周波数範囲をスキャンして受信可能なチャネル信号を検出し、前記受信可能なチャネル信号の周波数を登録する受信チャネル検出方法において、
前記スキャンする周波数を、所定の最小検出間隔毎にスキャン候補周波数として設定し登録するスキャン候補登録ステップと、
前記チャネル信号のバンド幅と略同一の間隔で、前記スキャン候補周波数の中からスキャン周波数を選択するスキャン周波数選択ステップと、
前記スキャン周波数に基づいてスキャンする第１のスキャンステップと、
前記スキャン周波数に基づいてスキャンされたチャネル信号が受信可能か否かを判定する受信判定ステップと、
受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新ステップと、
前記所定の周波数範囲を前記第１のスキャン手段でスキャンした後、前記更新されたスキャン候補周波数に基づいてスキャンする第２のスキャンステップと、
を備え、
前記スキャン候補周波数更新ステップは、
前記第２のスキャンステップによるスキャンにおいても、受信可能と判定されたチャネル信号の周波数を検出周波数として登録するとともに、前記検出周波数を中心とした所定の範囲のスキャン候補周波数を、登録した前記スキャン候補周波数から削除し更新することを特徴とする受信チャネル検出方法。
【請求項１０】
前記第１のスキャンステップによるスキャンにおいて受信した前記チャネル信号の信号強度を前記スキャン候補周波数に関連付けて登録する信号強度登録ステップをさらに備え、
前記第２のスキャンステップによるスキャンは、前記信号強度の大きな順にスキャンすることを特徴とする請求項９に記載の受信チャネル検出方法。
【請求項１１】
前記チャネル信号のバンド幅が複数ある場合には、同一の前記スキャン候補周波数において、前記バンド幅の広い順から受信可能か否かを判定することを特徴とする請求項１０に記載の受信チャネル検出方法。
【請求項１２】
前記第１のスキャンステップは、受信可能なチャネル信号の周波数が既知の場合には、前記既知の周波数も含めてスキャンすることを特徴とする請求項９に記載の受信チャネル検出方法。
【発明の詳細な説明】
【技術分野】
【０００１】
本発明は、チューナユニット、チューナユニットを内蔵する情報処理装置、および受信チャネル検出方法に係り、特に、ＴＶチャネルの周波数帯をスキャンして受信チャネルを検出するチューナユニット、チューナユニットを内蔵する情報処理装置、および受信チャネル検出方法に関する。
【背景技術】
【０００２】
今日のＴＶ受信装置は、従来からあるアナログ地上波放送に加えて、デジタル地上波放送や衛星ＴＶ放送等の各種放送媒体からの放送を１つの受信装置で受信できるように構成されているものが多い。このため、１つのＴＶ受信装置で受信できるチャネル数は従来に比べて非常に多くなってきている。また、各種放送媒体から送信されるＴＶ放送の周波数の数もこれに応じて非常に増えてきている。
【０００３】
しかしながら、ＴＶ受信装置の機能としては非常に広範囲のＴＶチャネルを受信することが可能であるものの、ＴＶ受信装置が実際に設置されている地域に応じて、受信できるＴＶ周波数と受信できないＴＶ周波数が存在する。
【０００４】
即ち、国や地域に応じてＴＶ放送の周波数が予め割り当てられており、国や地域によって受信可能なＴＶチャネルの周波数は異なっている。
【０００５】
このため、多数の受信チャネルの中から、ＴＶ受信装置が設置される国や地域において受信可能なＴＶチャネルの周波数を予め周波数テーブル等に登録し、このテーブルを参照することによって、短時間でかつ容易に所望のＴＶチャネルを選択できるように構成されたＴＶ受信装置が広く普及している。
【０００６】
また、ＴＶ受信装置を新規にユーザが購入した際や、ＴＶ受信装置を特定の国や地域から他の国や地域に移動させた際には、広い周波数範囲をスキャンさせ、実際に使用する国や地域で受信可能なＴＶ周波数を検出し、前述の周波数テーブルに登録させる機能（以下、周波数自動登録機能という）を備えたＴＶ受信装置も多い。
【０００７】
周波数自動登録機能を実現するには、広い周波数範囲をスキャンし、かつ、スキャンするそれぞれの周波数においてＴＶ信号の検出判定を行う必要があるため、相当の処理時間を必要としてきた。
【０００８】
このため、この周波数自動登録に要する処理時間を短縮するための技術が従来から各種提案されてきている。
【０００９】
例えば、特許文献１は、デジタルＴＶ放送チャネルの検索に要する時間を短縮する技術について開示している。特許文献１が開示する技術は、アナログＴＶ放送とデジタルＴＶ放送の双方を受信可能な受信装置において、アナログＴＶ放送の受信可能周波数（チャネル）をまず検出し、デジタルＴＶ放送周波数（チャネル）検索時には、アナログ放送が受信できた周波数を除外して検索することにより、デジタルＴＶ放送周波数の検索時間を短縮しようとするものである。
【００１０】
また、特許文献２は、衛星ＴＶ放送等におけるチャネル検索時間の短縮に関する技術について開示している。衛星ＴＶ放送では、異なる帯域幅を有する複数のチャネルが存在する。従来は、最も帯域幅の小さなチャネルの帯域幅を基準とした周波数間隔でスキャンする方法であったのに対し、スキャンの周波数間隔をチャネルの帯域幅に応じて設定する等の技術によって、全体としてのチャネル検索時間が短縮できる、としている。
【００１１】
また、特許文献３は、デジタルＴＶ放送のチャネル検索時間の短縮に関する技術を開示している。デジタルＴＶ放送の受信可能チャネル判定では、チャネル情報を取得するためにロック判定を行っているが、このロック判定に時間がかかっている。そこで、特許文献３では、まず、受信信号強度だけを判定する予備スキャンを行い、受信信号強度が所定の閾値を超えたチャネルに対してのみロック判定を伴う本スキャンを行うことでロック判定の回数を減らし、全体としてチャネル検索時間が短縮できるとしている。
【特許文献１】特開２００５−６４５８５号公報
【特許文献２】米国特許出願公開第２００３／００７３４５９号明細書
【特許文献３】米国特許出願公開第２００２／００９７３４４号明細書
【発明の開示】
【発明が解決しようとする課題】
【００１２】
ところで、今日、パーソナルコンピュータ等の情報処理装置にＴＶチューナ装置を内蔵する形態のものが広く普及してきている。これらの情報処理装置の多くは、特定の国や特定の地域に使用範囲を限定することのない、いわゆるグローバル仕様となっている。
【００１３】
このため、情報処理装置等に内蔵されるＴＶチューナ装置は、使用国や使用地域応じて異なる受信方式や異なる受信周波数範囲等に対応させた従来のＴＶ受信装置のような形態ではなく、総ての国や地域において受信可能となる機能を予め具備した形態となっている。
【００１４】
このように、情報処理装置に内蔵するＴＶチューナ装置をグローバル仕様化することで、全体としては、開発・設計コストや、維持・補修コストを低減することができる。
【００１５】
他方、総ての国や地域に対応させようとすると、ＴＶチューナ装置がカバーすべき周波数の範囲は当然広くなってくる。また、国や地域によってＴＶチャネルに割り付けている送信周波数も異なっている。
【００１６】
日本国内の仕様だけを考えれば、ＴＶ放送のバンド幅は６ＭHzと固定である。また送信周波数の間隔も基本的には６ＭHz間隔であり、ＴＶチャネルに割り付けられている送信周波数も予め定められている。このため、周波数をスキャンして周波数自動登録を行う場合でも比較的短時間で処理することができる。
【００１７】
しかしながら、ヨーロッパ等では、隣接する国によってはバンド幅（或いは周波数間隔）や送信周波数が異なっている。このため、隣国のＴＶ放送の視聴を望むユーザの要望を満たすためには、より細かなステップで、かつ広い範囲の周波数をスキャンして周波数自動登録を行う必要がある。
【００１８】
また、居住国であればその国に既存のＴＶチャネルと周波数の対応表を入手することも可能であろうが、隣国等の場合には対応表の入手が困難な場合もある。
【００１９】
このため、従来のグローバル仕様のＶＨＦ／ＵＨＦ用ＴＶチューナ装置では、例えば、４４ＭＨｚから８６０ＭＨｚの範囲を１ＭＨｚのステップ間隔で周波数スキャンを行って周波数自動登録を行っている。
【００２０】
さらに、バンド幅も日本のように６ＭＨｚだけではなく、７ＭＨｚの国や８ＭＨｚの国が存在する。このため、受信フィルタの帯域を夫々切換えて受信可能か否かを判定せざるを得ない場合があり、周波数自動登録に要する時間はさらに増加することになる。
【００２１】
特許文献１乃至３が開示する技術は、いずれも周波数自動登録に要する時間を短縮するものではあるが、上記のようなグローバル仕様のＴＶチューナ装置への適用を考えると、その効果は未だ不十分と言わざるを得ず、さらなる時間短縮技術が要望される。
【００２２】
本発明は、上記事情に鑑みてなされたもので、送信周波数の情報が無いため広い範囲を細かなステップでスキャンせざるを得ない場合であっても、短時間で効率良く周波数自動登録をすることができるチューナユニット、チューナユニットを内蔵する情報処理装置、および受信チャネル検出方法を提供することを目的とする。
【課題を解決するための手段】
【００２３】
上記課題を解決するため、本発明に係るチューナユニットは、請求項１に記載したように、所定の周波数範囲をスキャンして受信可能なチャネル信号を検出し、前記受信可能なチャネル信号の周波数を登録するチューナユニットにおいて、前記スキャンする周波数を、所定の最小検出間隔毎にスキャン候補周波数として設定し登録するスキャン候補登録手段と、前記チャネル信号のバンド幅と略同一の間隔で、前記スキャン候補周波数の中からスキャン周波数を選択するスキャン周波数選択手段と、前記スキャン周波数に基づいてスキャンする第１のスキャン手段と、前記スキャン周波数に基づいてスキャンされたチャネル信号が受信可能か否かを判定する受信判定手段と、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新手段と、前記所定の周波数範囲を前記第１のスキャン手段でスキャンした後、前記更新されたスキャン候補周波数に基づいてスキャンする第２のスキャン手段と、を備え、前記スキャン候補周波数更新手段は、前記第２のスキャン手段によるスキャンにおいても、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新することを特徴とする。
【００２４】
また、上記課題を解決するため、本発明に係るチューナユニットを内蔵する情報処理装置は、請求項５に記載したように、各種情報処理を行う情報処理装置本体と、所定の周波数範囲をスキャンして受信可能なチャネル信号を検出し、前記受信可能なチャネル信号の周波数を登録するチューナユニットと、各種情報、および前記チューナユニットで受信された映像を表示する表示器と、と備えた情報処理装置において、前記チューナユニットは、前記スキャンする周波数を、所定の最小検出間隔毎にスキャン候補周波数として設定し登録するスキャン候補登録手段と、前記チャネル信号のバンド幅と略同一の間隔で、前記スキャン候補周波数の中からスキャン周波数を選択するスキャン周波数選択手段と、前記スキャン周波数に基づいてスキャンする第１のスキャン手段と、前記スキャン周波数に基づいてスキャンされたチャネル信号が受信可能か否かを判定する受信判定手段と、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新手段と、前記所定の周波数範囲を前記第１のスキャン手段でスキャンした後、前記更新されたスキャン候補周波数に基づいてスキャンする第２のスキャン手段と、を備え、前記スキャン候補周波数更新手段は、前記第２のスキャン手段によるスキャンにおいても、前記受信判定手段で受信可能と判定されたチャネル信号の周波数を検出周波数として登録するとともに、前記検出周波数を中心とした所定の範囲のスキャン候補周波数を、登録した前記スキャン候補周波数から削除し更新することを特徴とする。
【００２５】
また、上記課題を解決するため、本発明に係る受信チャネル検出方法は、請求項９に記載したように、所定の周波数範囲をスキャンして受信可能なチャネル信号を検出し、前記受信可能なチャネル信号の周波数を登録する受信チャネル検出方法において、前記スキャンする周波数を、所定の最小検出間隔毎にスキャン候補周波数として設定し登録するスキャン候補登録ステップと、前記チャネル信号のバンド幅と略同一の間隔で、前記スキャン候補周波数の中からスキャン周波数を選択するスキャン周波数選択ステップと、前記スキャン周波数に基づいてスキャンする第１のスキャンステップと、前記スキャン周波数に基づいてスキャンされたチャネル信号が受信可能か否かを判定する受信判定ステップと、受信可能と判定されたチャネル信号の周波数を検出周波数として登録するとともに、前記検出周波数を中心とした所定の範囲のスキャン候補周波数を、登録した前記スキャン候補周波数から削除し更新するスキャン候補周波数更新ステップと、前記所定の周波数範囲を前記第１のスキャン手段でスキャンした後、前記更新されたスキャン候補周波数に基づいてスキャンする第２のスキャンステップと、を備え、前記スキャン候補周波数更新ステップは、前記第２のスキャンステップによるスキャンにおいても、受信可能と判定されたチャネル信号の周波数を検出周波数として登録するとともに、前記検出周波数を中心とした所定の範囲のスキャン候補周波数を、登録した前記スキャン候補周波数から削除し更新することを特徴とする。
【発明の効果】
【００２６】
本発明に係るチューナユニット、チューナユニットを内蔵する情報処理装置、および受信チャネル検出方法によれば、送信周波数の情報が無いため広い範囲を細かなステップでスキャンせざるを得ない場合であっても、短時間で効率良く周波数自動登録をすることができる。
【発明を実施するための最良の形態】
【００２７】
本発明に係るチューナユニット、チューナユニットを内蔵する情報処理装置、および受信チャネル検出方法の実施形態について、添付図面を参照して説明する。
【００２８】
（１）情報処理装置の構成
図１は、本発明の一実施形態である情報処理装置１の代表例として、ノートブック型パーソナルコンピュータの外観の一例を示す図である。
【００２９】
情報処理装置１は、薄型の長方形状をなす情報処理装置本体２とパネル部３とを備えて構成されている。情報処理装置本体２とパネル部３とはヒンジ部を介して開閉自在に構成されている。
【００３０】
情報処理装置本体２は、その筐体の上面に各種データを入力する他、情報処理装置１の各種操作を行うキーボード５等を備えている。また、情報処理装置本体２は、ＣＰＵ１０、チップセット、主メモリ１３等の電子部品（図２参照）が実装されたシステム基板や、ＴＶ放送を受信するためのＴＶチューナユニット（チューナユニット）１０等を内蔵している。
【００３１】
パネル部３は、その内側の開口部に、各種情報を表示する表示器４を備えている。表示器４は、例えば液晶表示器等で構成されるものである。表示器４には、情報処理装置本体２で処理される各種情報や、ＴＶチューナユニット１０で受信されるＴＶ放送の映像が表示される。また、スピーカ６は、ＴＶチューナユニット１０で受信されるＴＶ放送の音声等を出力する。
【００３２】
図２は、情報処理装置１のシステム構成の一例を示すブロック図である。情報処理装置１は、システム全体の制御を行うＣＰＵ２０を備えており、ＣＰＵ１０はチップセット（ホストハブ２１、およびＩ／Ｏハブ２４）を介して各種の内部構成品とデータの授受を行っている。
【００３３】
情報処理装置１が備える内部構成品としては、プログラムやデータを一時的に記憶しＣＰＵ１０のワークエリアとして機能する主メモリ２２、ＢＩＯＳを記憶するＢＩＯＳＲＯＭ２８、表示器（ＬＣＤ）４に表示する各種の画像データを処理するグラフィックコントローラ２３、音声信号処理を行いスピーカ６へ音声信号を出力するサウンドコントローラ２５、記憶装置としてのＨＤＤ２６、ＤＶＤドライブ２７等がある。
【００３４】
また、ユーザインターフェースとして、キーボード５やポインティングデバイス３０等を備えており、これらはコントローラ（ＥＣ／ＫＢＣ）２９を介してＩ／Ｏハブ２４に接続されている。
【００３５】
さらに、情報処理装置１は、内部構成品としてＴＶチューナユニット１０を備えており、ＴＶチューナユニット１０は、例えば、ＰＣＩバスを介してＩ／Ｏハブ２４に接続されている。ＴＶチューナユニット１０には、アンテナ端子（図示せず）からＶＨＦ／ＵＨＦ帯のＴＶ放送信号が入力される。ＴＶチューナユニット１０で復調された信号は、Ｉ／Ｏハブ２４、ホストハブ２１を介して、グラフィックコントローラ２３、サウンドコントローラ２５に伝送され、映像信号及び音声信号として表示器４やスピーカ６から出力される。図２では、チューナユニット１０とＩ／Ｏハブ２４とはＰＣＩバスを介した接続としているが、ＰＣＩバスに限定するものではなく、例えば、ＵＳＢやＩＥＥＥ１３９４等のバスを用いて接続する形態であっても良い。
【００３６】
なお、図２は、情報処理装置１のシステム構成の一例を示したものであり、この構成に限定されるものではない。
【００３７】
（２）ＴＶチューナユニットの構成
図３は、本発明の実施形態に係るＴＶチューナユニット（チューナユニット）１０の構成例を示す図である。
【００３８】
チューナユニット１０は、チューナ部５０、アナログＴＶ信号処理部６０、デジタルＴＶ信号処理部７０、およびコントローラ部８０を備えて構成されている。
【００３９】
チューナ部５０は、チューナ入力端５３からＶＨＦ帯およびＵＨＦ帯のＴＶ放送信号を入力し、所定の中間周波信号（ＩＦ信号）に変換してアナログＴＶ信号処理部６０およびデジタルＴＶ信号処理部７０に出力する。
【００４０】
地上波ＴＶ放送を受信する場合には、チューナ入力端５３にはアンテナ（図示せず）が接続される。また、ＣＡＴＶを受信する場合には、チューナ入力端５３はＣＡＴＶ網（図示せず）に接続される。
【００４１】
チューナ部５０はＡＧＣ回路５１を備えており、ＡＧＣ回路５１の自動利得制御機能によって、受信したＴＶ信号のレベルが低い場合にはこれを増幅し、高い場合はこれを減衰させることによってチューナ部５０から出力される信号のレベルを一定に保っている。
【００４２】
また、チューナ部５０は周波数選択回路５２を備えており、入力されるＶＨＦ帯およびＵＨＦ帯のＴＶ放送信号の中から特定の周波数を選択し、選択した周波数を所定の中間周波数に変換する。周波数の選択はコントローラ部８０から出力される制御信号に基づいて行われる。
【００４３】
チューナ部５０が処理するＶＨＦ帯およびＵＨＦ帯は多数国のＴＶ放送帯をカバーするように構成されており、例えば、４４ＭＨｚから８６０ＭＨｚに亘る広範囲をカバーするものである。
【００４４】
アナログＴＶ信号処理部６０は、チューナ部５０から出力される中間周波信号を復調し、アナログＴＶ放送の映像信号および音声信号を抽出する。また、情報処理装置１内部で取り扱われるデータはデジタルデータであるため、映像信号および音声信号を、例えばＭＰＥＧエンコーダ等で所定のデジタルデータのフォーマットに変換した後、コントローラ部８０に出力する。
【００４５】
アナログＴＶ信号処理部６０は、アナログＴＶ信号検出回路６１を内蔵しており、ここで入力した信号の解析を行い、受信した帯域にアナログＴＶ信号（チャネル信号）があるか否かを検出する。
【００４６】
なお、チューナユニット１０から入力したアナログＴＶ信号の周波数が、アナログＴＶ信号検出回路６１の期待する周波数と完全に一致していなくとも、その周波数誤差が許容範囲内にある場合にもＴＶ信号を検出すること可能である。このような場合、アナログＴＶ信号検出回路６１では周波数誤差を検出し、検出した周波数誤差をコントローラ部８０に出力する。コントローラ部８０ではこの周波数誤差に基づいてチューナユニット１０に対する選択周波数の微調整を行って、選択周波数の精度を向上させている。
【００４７】
また、アナログＴＶ信号検出回路６１では、受信したアナログ放送の信号強度を検出し、検出した信号強度をコントローラ部８０に出力している。コントローラ部８０では、この信号強度に基づいてチューナ部５０のＡＧＣ回路５１の利得制御を行っている。ＡＧＣ回路５１の利得制御値は、受信しているアナログ放送の信号強度に対応するものであり、コントローラ部８０ではＡＧＣ回路５１の利得制御値から受信している信号の信号強度を求めることができる。
【００４８】
デジタルＴＶ信号処理部７０は、チューナ部５０から出力される中間周波信号を所定の変調方式（例えば、ＯＦＤＭやＱＡＭ方式）に対応した方式で復調し、復調したデジタルＴＶデータ（映像信号および音声信号が含まれる形態のデータ）を抽出する。また、抽出したデジタルＴＶデータをコントローラ部８０に出力する。
【００４９】
デジタルＴＶ信号処理部７０も、デジタルＴＶ信号検出回路７１を内蔵している。デジタルＴＶ信号検出回路７１は、受信した帯域にデジタルＴＶ信号（チャネル信号）があるか否かを検出する。この検出は、信号の有無判定や、あらかじめ想定しているデジタルＴＶ放送の復調方式で復調できたか否かの判定等によって行われる。また、復調できた場合には、エラー検出やエラー訂正を行い、訂正後のデータが期待したデジタルＴＶ放送のデータであるか否かをさらに判断することによってデジタルＴＶ信号の検出を行う。
【００５０】
また、デジタルＴＶ信号検出回路７１では、アナログＴＶの場合と同様に、受信したデジタル放送の信号強度を検出し、検出した信号強度をコントローラ部８０に出力している。コントローラ部８０では、この信号強度に基づいてチューナ部５０のＡＧＣ回路５１の利得制御を行うと共に、デジタル放送の信号強度を求めている。
【００５１】
なお、図２は、アナログＴＶ信号処理部６０とデジタルＴＶ信号処理部７０との双方を備える形態を図示しているが、いずれか一方を備える形態であってもよい。
【００５２】
コントローラ部８０は、アナログＴＶ信号処理部６０やデジタルＴＶ信号処理部７０
から入力した映像・音声に係るデジタルデータを所定のバスデータ、例えばＰＣＩバスデータに変換してＰＣＩバスに出力する。
【００５３】
また、コントローラ部８０は、アナログＴＶ信号処理部６０やデジタルＴＶ信号処理部７０に対して各種制御信号を出力する他、チューナ部５０のＡＧＣ回路５１に対する利得制御や、周波数選択回路５２に対する周波数制御を行っている。
【００５４】
コントローラ部８０では、ＴＶ放送チャネルを選択する際に、ＴＶ放送チャネルと周波数の対応テーブルを参照して周波数制御を行っている。このため、予めチャネル／周波数対応テーブルを作成し登録しておく必要がある。
【００５５】
このチャネル／周波数対応テーブルの作成・登録をいかに短時間で効率良く行うかが本発明のポイントである。本実施形態に係るチューナユニット１０は、チューナユニット１０が対象とする広い周波数範囲をスキャンし、チューナユニット１０（即ちそれを内蔵する情報処理装置１）が実際に使用される国や地域において受信可能なＴＶ周波数を検出し、前述のチャネル／周波数対応テーブルに登録する機能（以下、周波数自動登録機能という）を短時間でかつ効率良く行うよう構成されるものである。
【００５６】
図４は、コントローラ部８０が備える機能実現手段のうち、特に、上述した周波数自動登録機能の実現手段を抽出した機能ブロック図である。
【００５７】
コントローラ部８０は、スキャンする周波数範囲を、所定の最小検出間隔毎に、例えば１ＭＨｚ毎に、スキャン候補周波数として設定し登録するスキャン候補登録手段１０１、受信するＴＶ信号（チャネル信号）のバンド幅と略同一の間隔で、スキャン候補周波数の中からスキャン周波数を選択するスキャン周波数選択手段１０２を備えている。
【００５８】
また、コントローラ部８０は、スキャン周波数テーブル１０４を備えており、このスキャン周波数テーブル１０４には、スキャン候補周波数、およびこの中から選択されたスキャン周波数が記録されている。
【００５９】
他方、前述したように、アナログＴＶ信号検出回路６１およびデジタルＴＶ信号検出回路７１では、夫々アナログＴＶ信号やデジタルＴＶ信号が確実に復調されたか否かを検出しており、この検出機能が図４における受信判定手段１０８、１１０に該当する。
【００６０】
また、アナログＴＶ信号検出回路６１およびデジタルＴＶ信号検出回路７１における信号強度の検出機能が、図４における信号強度検出手段１０９、１１１に該当する。
【００６１】
コントローラ部８０が備える信号強度登録手段１０６は、信号強度検出手段１０９、１１１から出力される信号強度をスキャン周波数テーブル１０４に登録する手段である。
【００６２】
また、コントローラ部８０が備えるスキャン候補周波数更新手段１０５は、受信判定手段１０８、１１０における受信可否判定の結果に基づいて、スキャン周波数テーブル１０４を更新する手段である。具体的には、スキャン周波数テーブル１０４からスキャン候補周波数を段階的に削除するように更新を行う手段である。
【００６３】
第１のスキャン手段、第２のスキャン手段１０７は、登録或いは更新されたスキャン周波数テーブル１０４に基づいて、スキャンすべき周波数を順次チューナ部５０に出力する手段である。
【００６４】
上記のように構成されたＴＶチューナユニット１０の動作について以下に説明する。
【００６５】
（３）動作
図４は、ＴＶチューナユニット１０の周波数検出方法（周波数自動登録機能）に関する全体の処理の流れを示すフローチャートである。
【００６６】
本実施形態に係る周波数検出方法では、第１のスキャンと第２のスキャンを行い、これらのスキャンの過程で検出されたＴＶ信号の周波数を、その国や地域において受信可能なＴＶ放送の周波数として、チャネル／周波数対応テーブル２００に登録する。
【００６７】
まず、図５のステップＳＴ１では、第１のスキャンでスキャンすべき周波数を決定し、スキャン周波数テーブル１０４を作成する。
【００６８】
次に、ステップＳＴ２で、第１のスキャンを実施し、スキャン周波数テーブル１０４を更新する。
【００６９】
ステップＳＴ３では、第１のスキャン実施時に得られた信号強度に基づいて、第２のスキャンのスキャン順序の優先順位を決定する。
【００７０】
ステップＳＴ４では、決定された優先順位に基づいて、第２のスキャンを実施し、スキャン周波数テーブル１０４を更新する。
【００７１】
ステップＳＴ５では、第２のスキャン終了時でのスキャン周波数テーブル１０４に基づいて最終的にチャネル／周波数対応テーブルを生成する。
【００７２】
次に、各ステップにおける詳細な処理内容について説明する。図６は、ステップＳＴ１におけるスキャン周波数テーブル１０４作成の詳細フローチャートである。
【００７３】
まず、ステップＳＴ１１で、スキャン対象となる全周波数範囲を最小検出間隔で区分し、スキャン候補周波数としてスキャン周波数テーブル１０４に登録しスキャン周波数テーブル１０４を作成する。
【００７４】
ここで、スキャン対象となる全周波数範囲とは、例えば、総ての国のＴＶ放送のＶＨＦ帯およびＵＨＦ帯をカバーする周波数範囲である。より具体的には、例えば、４４ＭＨｚから８６０ＭＨｚの範囲である。この全周波数範囲を最小検出間隔で区分する。一方、最小検出間隔は、例えば、１ＭＨｚである。
【００７５】
図１０は、ステップＳＴ１１で作成されたスキャン周波数テーブル１０４の一例を示すものである。図１０は、説明の便宜上、全周波数範囲のうち１００ＭＨｚから１３５ＭＨｚの範囲だけを抽出して図示したものである。
【００７６】
テーブルの最も左の欄の「中心周波数」は、１００ＭＨｚから１３５ＭＨまで最小検出間隔の１ＭＨｚ毎に区分されている。
【００７７】
「スキャン候補」の欄は、バンド幅（ＭＨｚ）を示す「８」、「７」、「６」の３つの欄に細分されている。「スキャン候補」の欄に示した「○」印は、スキャン周波数テーブル１０４の作成時において、該当する「中心周波数」およびバンド幅がスキャン対象であることを示している。
【００７８】
我が国の場合、ＴＶ放送のバンド幅は６ＭＨｚに統一されているが、全世界的にみると、８ＭＨｚ、７ＭＨｚ、および６ＭＨｚのバンド幅が存在する。ことため、１つの中心周波数に対して８ＭＨｚ、７ＭＨｚ、および６ＭＨｚと受信帯域を変更して（例えばフィルタの帯域幅を変えて）その中心周波数でＴＶ放送が受信可能か否かを判定する必要がある。図１０において同一周波数に対して８ＭＨｚ、７ＭＨｚ、および６ＭＨｚの各欄に「○」印が付されているのは、このことを意味している。
【００７９】
また、中心周波数の間隔（最小検出間隔）を１ＭＨｚと細かな間隔に設定している理由は、各国のＴＶ放送の中心周波数に関する情報が基本的には未知であるという前提に基づいている。このため、ＴＶ放送の受信可否を判定するためのスキャン候補周波数の設定では、細かい間隔とせざるをえない。他方、実際のＴＶ放送の中心周波数と、チューナ部５０に設定する中心周波数との許容誤差は１ＭＨｚ程度であると言われており、本実施形態では、最小検出間隔を１ＭＨｚとしている。
【００８０】
従来の受信チャネル検出方法では、図１０の総ての「○」印に対して網羅的に受信可否を判定し、この中でＴＶ信号の受信信号が検出された中心周波数をチャネル／周波数対応テーブル２００に登録する形態としていた。このため、チャネル／周波数対応テーブル２００の作成・登録に長時間を要していた。
【００８１】
本実施形態に係る受信チャネル検出方法では、図１０のスキャン候補（「○」印）に対して網羅的に判定するのではなく、スキャン候補を効率的に絞り込むことでチャネル／周波数対応テーブル２００の作成・登録に要する時間の低減を図っている。
【００８２】
図６のステップＳＴ１２では、既存のチャネル／周波数対応テーブルが存在するか否かを判定している。予めその国や地域のチャネル／周波数対応テーブルが入手可能であり、かつ、視聴者がそのチャネル／周波数対応テーブルの範囲内の視聴のみを希望している場合には、このチャネル／周波数対応テーブルのデータを入力する方法が有効である。
【００８３】
既存のチャネル／周波数対応テーブルが存在しない場合、ステップＳＴ１３へ進む。ステップＳＴ１３では、１ＭＨｚ間隔の全周波数範囲のスキャン候補周波数中から、８ＭＨｚ毎にスキャン候補周波数をピックアップし、これを第１のスキャン周波数としてスキャン周波数テーブル１０４に登録する。
【００８４】
図１１は、ステップＳＴ１３終了時のスキャン周波数テーブル１０４の状態を示す図である。図１１の最も右の「エントリ（第１のスキャン周波数）」欄に「◎」印で示したスキャン候補周波数が、第１のスキャンのスキャン周波数としてエントリされたものである。
【００８５】
ここで、第１のスキャンの間隔として設定している８ＭＨｚは、ＴＶ信号（チャネル信号）のバンド幅に相当するものであり、本実施形態では、国によって異なるバンド幅（８ＭＨｚ、７ＭＨｚ、および６ＭＨｚ）の中から最も広いバンド幅の値を、第１のスキャンにおけるスキャン周波数の間隔として選択している。また、８ＭＨｚの間隔で第１のスキャンを行う際には、受信帯域幅の設定もこれに合致させて８ＭＨｚの帯域設定とする。
【００８６】
図６のステップＳＴ１２において、既存のチャネル／周波数対応テーブルが存在する場合は、その周波数を第１のスキャン周波数として、スキャン周波数テーブル１０４に登録する（ステップＳＴ１４）。
【００８７】
また、既存のチャネル／周波数対応テーブルがカバーする周波数範囲が、全周波数範囲をカバーしているか否かを判定し（ステップＳＴ１５）、全周波数範囲をカバーしていない場合は、カバーしていない周波数の領域を、ステップＳＴ１３と同様に、８ＭＨｚ毎に第１のスキャン周波数としてスキャン周波数テーブル１０４に登録する（ステップＳＴ１６）。
【００８８】
このようにして、第１のスキャンでスキャンすべき周波数がスキャン周波数テーブル１０４に登録される。
【００８９】
なお、図１１は、既存のチャネル／周波数対応テーブルが存在しない場合の第１のスキャンのスキャン周波数の登録状況に対応するものである。
【００９０】
次に、第１のスキャンを実施する。図７は、第１のスキャンの処理の流れを示す詳細フローチャートである。
【００９１】
まず、ステップＳＴ２１において、第１のスキャン周波数をチューナ部５０に設定する。チューナ部５０の周波数選択回路５２では、コントローラ部８０から指示される第１のスキャン周波数に応じて周波数を選択し、アナログＴＶ信号処理部６０（又はデジタルＴＶ信号処理部７０）に中間周波信号を出力する。
【００９２】
次に、ステップＳＴ２２では、アナログＴＶ信号処理部６０（又はデジタルＴＶ信号処理部７０）の信号強度検出手段１０９（又は１１１）からの信号に基づいて受信した信号の信号強度が求められる。
【００９３】
この信号強度が所定値以上の場合は（ステップＳＴ２３のｙｅｓ）、引き続き受信した信号がＴＶ信号か否かが判定される（ステップＳＴ２４）。
【００９４】
受信した信号がＴＶ信号の場合には、現在のスキャン周波数を受信可能チャネルとしてスキャン周波数テーブル１０４に登録する（ステップＳＴ２５）。
【００９５】
さらに、登録したスキャン周波数を中心とするバンド幅内にあるスキャン候補周波数に対して、スキャン候補周波数２２で求めた信号強度を登録する（ステップＳＴ２６）。
【００９６】
図１２は、ここまでの処理が終了した時点でのスキャン周波数テーブル１０４の状態を示すものである。第１のスキャン周波数として選択された「１０４ＭＨｚ」に対してＴＶ信号が検出され、かつその時の受信帯域幅の設定は「８ＭＨｚ」であるため、該当する欄にその旨を示す「検出」が記されている。
【００９７】
また、ステップＳＴ２２で求められた信号強度は−１０ｄＢｍであったため、「１０４ＭＨｚ」を中心とするバンド幅内にあるスキャン候補周波数の総て（１００から１０７ＭＨｚの範囲の各スキャン候補周波数）に対して信号強度は一律「−１０」と記されている。
【００９８】
次に、図７のステップＳＴ２７では、受信可能チャネル（ＴＶ信号が検出された中心周波数）の近傍のスキャン候補周波数をスキャン周波数テーブル１０４から削除する。
【００９９】
この理由を、図８を用いて説明する。図８（ａ）は、設定した第１のスキャン周波数、例えば１０４ＭＨｚでＴＶ信号が検出された状況を示している。ＴＶ信号が検出されたということは、このＴＶ信号のバンド幅が１０４ＭＨｚを中心に広がっていることを意味している。即ち、受信フィルタの帯域内にＴＶ信号のバンド幅がほぼ総て入っていることを意味している。
【０１００】
この結果、仮に、１０４ＭＨｚからずれた中心周波数をもつＴＶ信号があったとしても、そのＴＶ信号の帯域成分の一部は受信フィルタによって除去されてしまう。図８（ｂ）および（ｃ）はこの状況を示している。このため、１０４ＭＨｚからずれた中心周波数をもつＴＶ信号に対しては、正常な受信が期待できない。
【０１０１】
そこで、正常な受信が期待できない周波数をスキャン候補周波数として残しても無意味であるため、検出信号の近傍にあるスキャン候補周波数をスキャン周波数テーブル１０４から削除するものとしている。
【０１０２】
削除するスキャン候補周波数は、ＴＶ信号が検出された周波数を中心にしたバンド幅にそのバンド幅が含まれるスキャン候補周波数となる。
【０１０３】
図１３は、１０４ＭＨｚを中心とした近傍のスキャン候補周波数が削除された状態を示している。本例では、図示している範囲では、８ＭＨｚ帯域に対しては１００ＭＨｚから１０３ＭＨｚ、および１０５ＭＨｚから１１１ＭＨｚの範囲のスキャン候補周波数が削除されている。また、７ＭＨｚ帯域および６ＭＨｚ帯域に対しては、１００ＭＨｚから１０３ＭＨｚ、および１０５ＭＨｚから１１０ＭＨｚの範囲のスキャン候補周波数が削除されている。
【０１０４】
なお、１０４ＭＨｚについては、８ＭＨｚ帯域でＴＶ信号が検出されており、同一周波数（１０４ＭＨｚ）に対する７ＭＨｚ帯域および６ＭＨｚ帯域のスキャン候補周波数を残しても無意味であるため、併せてこれら２つのスキャン候補周波数を除去している。
【０１０５】
図７のステップＳＴ３０では、総ての第１のスキャン周波数がスキャンされた否かが判定され、未判定の第１のスキャン周波数が残っている場合にはステップＳＴ２１に戻って以上の処理を繰り返す。
【０１０６】
他方、設定した第１のスキャン周波数に対して、信号強度が所定値よりも低い場合（ステップＳＴ２３のＮｏ）やＴＶ信号を検出できなかった場合（ステップＳＴ２４のＮｏ）は、設定した第１のスキャン周波数にはＴＶ信号が存在しないと判断し、スキャン周波数テーブル１０４からスキャン候補周波数を削除する（ステップＳＴ２８）。
【０１０７】
ただし、そのスキャン周波数を中心とするバンド幅内にあるスキャン候補周波数に対しては、ステップＳＴ２２で求めた信号強度を登録する（ステップＳＴ２９）。
【０１０８】
図１３には、２番目の第１のスキャン周波数（中心周波数１１２ＭＨｚ）において、ＴＶ信号が検出されなかった状況も「非検出」として示している。また、この時の信号強度が−２０ｄＢｍであったことも併せて示している。
【０１０９】
第１のスキャンで「非検出」となった場合は、該当する中心周波数に対しては、８ＭＨｚ帯だけでなく、他の帯域（７ＭＨｚ帯および６ＭＨｚ帯）のスキャン候補周波数もスキャン周波数テーブル１０４から削除される。
【０１１０】
図１４は、中心周波数１１２ＭＨｚにおいて、「非検出」であったため、スキャン周波数テーブル１０４から該当するスキャン候補周波数を３種のバンド幅に対して除去した状態を示している。
【０１１１】
図１５は、第１のスキャンが終了した時点でのスキャン周波数テーブル１０４の更新状態を示す図である。
【０１１２】
図示している範囲では、第１のスキャン周波数のうち、１０４ＭＨｚでのみＴＶ信号が検出され、他の第１のスキャン周波数の１１２ＭＨｚ、１２０ＭＨｚ、および１２８ＭＨｚでは、信号強度が所定値未満であったか、或いはＴＶ信号が検出されなかったことを示している。以上が、第１のスキャンに係る処理の流れである。
【０１１３】
第１のスキャンが終了すると、第１のスキャンの際にスキャン周波数テーブル１０４に登録した信号強度に基づいて第２のスキャンでスキャンする順序の優先順位を決定する（図５のステップＳＴ３）。
【０１１４】
具体的には、高い信号強度が得られた周波数に高い優先順位を割り付ける。また、同一の周波数に対しては、８ＭＨｚ帯、７ＭＨｚ、６ＭＨｚ帯の順に優先順位を割り付ける。
【０１１５】
図１６は、スキャン周波数テーブル１０４に割り付けた優先順位の例を示すものである。図１６では、第１のスキャン終了時に残存しているスキャン候補周波数の「○］印（図１５参照）に代えて、優先順位を示す数字をテーブル中に記載している。
【０１１６】
本例では、中心周波数が１２４ＭＨｚから１３１ＭＨｚの範囲のスキャン候補周波数に対する信号強度が−５ｄＢｍと最も高いため、１２４ＭＨｚから１３１ＭＨｚまでの範囲に優先順位を１番から２１番まで割り付けている。
【０１１７】
以下同様にして、次に受信強度の高い−１０ｄＢｍ、−２０ｄＢｍ、−５０ｄＢｍの順に、残存しているスキャン候補周波数に対して優先順位を割り付けている。
【０１１８】
優先順位の割り付けが終了すると、この優先順位に従って第２のスキャンを実施する（図５のステップＳＴ４）。
【０１１９】
図９は、第２のスキャンの詳細を示すフローチャートである。
【０１２０】
ステップＳＴ４１では、スキャン周波数テーブル１０４に登録された優先順位に基づいて、優先順位の高い中心周波数を第２のスキャン周波数として設定してゆく。
【０１２１】
次のステップＳＴ４２、ステップＳＴ４３では、第１のスキャンと同様に信号強度を求め、その信号強度が所定値以上か否かを判定する。
【０１２２】
同様に、ステップＳＴ４４では、設定した第２のスキャン周波数において、ＴＶ信号が検出されたか否かを判定する。
【０１２３】
信号強度が所定値未満の場合、或いはＴＶ信号が検出されなかった場合には、その第２のスキャン周波数に該当するスキャン候補周波数をスキャン周波数テーブル１０４から削除する（ステップＳＴ４５）。
【０１２４】
一方、ＴＶ信号が検出された場合には、その周波数を受信可能チャネルとして、スキャン周波数テーブル１０４に登録する。
【０１２５】
また、第２のスキャンにおいても、ＴＶ信号が検出された周波数の近傍のスキャン候補周波数をスキャン周波数テーブル１０４から削除する。このように、第２のスキャンにおいても、ＴＶ信号が検出されなかった場合は、その第２のスキャン周波数を、また、ＴＶ信号が検出された場合でもその周囲のスキャン候補周波数をスキャン周波数テーブル１０４から削除する更新を行っていく。
【０１２６】
図１７は、第２のスキャンにおいて、中心周波数を１２７ＭＨｚに設定したとき（優先順位１０番目）にＴＶ信号が検出されたことを示している。この結果、中心周波数１２７ＭＨｚの近傍のスキャン候補周波数がスキャン周波数テーブル１０４から削除されることになる。
【０１２７】
図１８は、中心周波数１２７ＭＨｚの近傍からスキャン候補周波数が削除された状態を示している。
【０１２８】
このように、第２のスキャン実行中においても、第１のスキャンと同様に、スキャン候補周波数が徐徐に削減されていく。
【０１２９】
以上の過程を、残存するスキャン候補周波数がスキャン周波数テーブル１０４から無くなるまで繰り返し（ステップＳＴ４８）、第２のスキャンを終了する。
【０１３０】
第２のスキャンの終了時点では、ＴＶ信号が検出された中心周波数だけがスキャン周波数テーブル１０４に残存することになる。
【０１３１】
このスキャン周波数テーブル１０４に基づいて、ＴＶチューナユニット１０を内蔵する情報処理装置１が現在設置されている環境での、チャネル／周波数対応テーブル２００を生成する（図５のステップＳＴ５）。
【０１３２】
本実施形態によれば、第１のスキャンおよび第２のスキャンを行い、夫々のスキャンでＴＶ信号の検出を行う過程の中でスキャン候補周波数を徐徐に削除していく形態としているため、総てのスキャン候補周波数に対して網羅的にＴＶ信号の検出判定を行う方法に比べると、全周波数範囲をスキャンする時間が大幅に短縮される。
【０１３３】
また、第２のスキャンは第１のスキャンで得られた信号強度に基づいてスキャンの優先順位を決定する形態としているため、ＴＶ信号の存在の可能性が高い順にスキャンすることができる。このため、第２のスキャンの早い時期にＴＶ信号の検出が可能となり、その結果、検出されたＴＶ信号の近傍のスキャン候補周波数を早い時期に削除することが可能となる。このこともスキャン時間の短縮に大きく寄与している。
【０１３４】
以上述べてきたように、本実施形態に係るチューナユニット、チューナユニットを内蔵する情報処理装置、および受信チャネル検出方法によれば、ＴＶ送信周波数の情報が無いため広い範囲を細かなステップでスキャンせざるを得ない場合であっても、短時間で効率良く周波数自動登録をすることができる。
【図面の簡単な説明】
【０１３５】
【図１】本発明に係る情報処理装置の一実施形態における外観斜視図。
【図２】本発明に係る情報処理装置の一実施形態におけるシステム構成を示す図。
【図３】本発明に係るチューナユニットの一実施形態の構成例を示す図。
【図４】本発明に係るチューナユニットの一実施形態の機能ブロック図。
【図５】本発明に係る受信チャネル検出方法の実施形態における全体の処理の流れを示すフローチャート。
【図６】スキャン周波数テーブルの作成の流れを示す詳細フローチャート。
【図７】第１のスキャン処理の流れを示す詳細フローチャート。
【図８】スキャン候補周波数の削除の考え方を示す概念説明図。
【図９】第２のスキャン処理の流れを示す詳細フローチャート。
【図１０】スキャン周波数テーブルの具体例を示す第１の図。
【図１１】スキャン周波数テーブルの具体例を示す第２の図。
【図１２】スキャン周波数テーブルの具体例を示す第３の図。
【図１３】スキャン周波数テーブルの具体例を示す第４の図。
【図１４】スキャン周波数テーブルの具体例を示す第５の図。
【図１５】スキャン周波数テーブルの具体例を示す第６の図。
【図１６】スキャン周波数テーブルの具体例を示す第７の図。
【図１７】スキャン周波数テーブルの具体例を示す第８の図。
【図１８】スキャン周波数テーブルの具体例を示す第９の図。
【符号の説明】
【０１３６】
１  情報処理装置
１０  チューナユニット
５０  チューナ部
５１  ＡＧＣ回路
５２  周波数選択回路
６０  アナログＴＶ信号処理部
６１  アナログＴＶ信号検出回路
７０  デジタルＴＶ信号処理部
７１  デジタルＴＶ信号検出回路
８０  コントローラ部
１０１  スキャン候補登録手段
１０２  スキャン周波数選択手段
１０３  既存チャネル／周波数対応テーブル
１０４  スキャン周波数テーブル
１０５  スキャン候補周波数更新手段
１０６  信号強度登録手段
１０７  第１、第２のスキャン手段
１０８、１１０  受信判定手段
１０９、１１１  信号強度検出手段
２００  チャネル／周波数対応テーブル
【図１】
2007174573.tif 000003
【図２】
2007174573.tif 000004
【図３】
2007174573.tif 000005
【図４】
2007174573.tif 000006
【図５】
2007174573.tif 000007
【図６】
2007174573.tif 000008
【図７】
2007174573.tif 000009
【図８】
2007174573.tif 000010
【図９】
2007174573.tif 000011
【図１０】
2007174573.tif 000012
【図１１】
2007174573.tif 000013
【図１２】
2007174573.tif 000014
【図１３】
2007174573.tif 000015
【図１４】
2007174573.tif 000016
【図１５】
2007174573.tif 000017
【図１６】
2007174573.tif 000018
【図１７】
2007174573.tif 000019
【図１８】
2007174573.tif 000020